(57)【要約】      （修正有）【課題】安価かつ導入容易な、ペット等小動物用に適した水中トレッドミル構造を提供する。【解決手段】動物用水中トレッドミル構造２１は、動物用に使用可能な水槽または洗い場に着脱可能なものであり、トレッドミル本体２２と、これに取り付けられていてこれを駆動する駆動部２５とを備えている。トレッドミル本体２２の側部には支持体２３が設けられ、支持体２３上には筐体２４が設けられ、前記駆動部２５は筐体２４内に収容されている。トレッドミル本体２２の歩行路面速度および傾斜角度は調節自在に構成される。【選択図】図２
0003153417.tif 000002
【実用新案登録請求の範囲】
【請求項１】
新たに給排水設備を整えることを要せずに、小形の愛玩動物等の小動物用に使用可能な既存の水槽に着脱可能なトレッドミル本体と、該トレッドミル本体に接続されていてこれを駆動する駆動部とを備えてなる小形の愛玩動物等の小動物用水中トレッドミル構造であって、該トレッドミル本体には歩行路面をなすための走行駆動される無端ベルトが設けられ、該トレッドミル本体の側部には支持体が設けられ、該支持体上には筐体が設けられ、該駆動部は該筐体内に収容されており、該筐体には、該トレッドミル本体の駆動を調節するための調節部が設けられており、該調節部により、該無端ベルトの走行速度すなわち無端ベルト速度および傾斜角度をそれぞれ調節可能であり、水槽に該トレッドミル本体を沈めた場合でも、該筐体は水中に没することなく水面上方にあってこれを操作することができるように構成されていることを特徴とする、小動物用水中トレッドミル構造。 
【請求項２】
前記筐体には、前記トレッドミル本体の無端ベルト速度および検知された水温を表示可能な表示部が設けられていることを特徴とする、請求項１に記載の小動物用水中トレッドミル構造。 
【請求項３】
前記トレッドミル本体は、該本体の歩行路面の高さを調節可能であることを特徴とする、請求項１または２に記載の小動物用水中トレッドミル構造。 
【請求項４】
請求項１ないし３のいずれかに記載の小動物用水中トレッドミル構造と、前記トレッドミル本体の上面に着脱自在に取り付け可能なサイドガードとを備えてなることを特徴とする、小動物用水中トレッドミルセット。 
【請求項５】
請求項１ないし３のいずれかに記載の小動物用水中トレッドミル構造と、小形の愛玩動物等の小動物を支持するための吊り下げ用具とを備えてなることを特徴とする、小動物用水中トレッドミルセット。 
【請求項６】
請求項１ないし３のいずれかに記載の小動物用水中トレッドミル構造と、該小動物用水中トレッドミル構造を収容可能な水槽とを備えてなることを特徴とする、小動物用水中トレッドミルセット。 
【考案の詳細な説明】
【技術分野】
【０００１】
本考案は、動物用水中トレッドミル構造に係り、特に、既存の動物用浴槽等を利用して、安価かつ簡便に小形の愛玩動物等の小動物を水中運動させることのできる、動物用水中トレッドミル構造に関する。
【背景技術】
【０００２】
少子高齢化、核家族化、生活水準の向上、あるいは価値観の多様化等、種々の社会情勢変化を背景にして、犬・猫等の愛玩動物いわゆるペットを飼育する家庭は増加しており、ペット医療・健康福祉関連産業も成長している。特に栄養状態・食生活レベルの向上によってペットの高齢化も進んでいるが、同時に健康障害、疾病も多くなってきている状況である。
【０００３】
かかる状況下、人間の医療・福祉用として開発された水中トレッドミルも、ペット用のものが徐々に提供されるようになってきている。また、後掲特許文献１のように、健康回復目的にペットに歩行運動と水泳運動を独立に行なわせることができ、かつ入浴も可能とするような装置などといった、種々の技術的提案もなされている。
【先行技術文献】
【特許文献】
【０００４】
【特許文献１】特開２００６−２７１２２７号公報「小動物用の運動器具」
【考案の概要】
【考案が解決しようとする課題】
【０００５】
しかし、上述特許文献１開示のものも含め従来の動物用水中トレッドミルには、次のような問題があった。すなわち、トレッドミル装置自体は相当の大きさがあるとともに、給排水を別途設備しなくてはならないものであった。したがって、導入するためには、相応のコストおよび設置面積が必要であり、手軽に導入することのできないものであった。特に、中小規模の動物病院などにおいては、動物用水中トレッドミル設置の有用性は今後ますます増加すると考えられるため、かかる施設であっても容易に導入可能な水中トレッドミルが求められている現状である。
【０００６】
本考案が解決しようとする課題は、上記従来技術の問題点を除き、安価で、かつ構造と使用方法が簡単であり、また導入することが容易な、ペット等の小動物用に適した、動物用水中トレッドミル構造を提供することである。
【課題を解決するための手段】
【０００７】
本願考案者は上記課題について検討した結果、既存の動物用浴槽等を利用して、これに収容して動物用水中トレッドミルを構成することのできる構造を提案することにより、上記課題が解決可能であることを見出し、本考案に至った。すなわち、上記課題を解決するための手段として本願で実用新案登録請求される考案、もしくは少なくとも開示される考案は、以下の通りである。
【０００８】
（１）  新たに給排水設備を整えることを要せずに、小形の愛玩動物等の小動物用に使用可能な既存の水槽に着脱可能なトレッドミル本体と、該トレッドミル本体に接続されていてこれを駆動する駆動部とを備えてなる小形の愛玩動物等の小動物用水中トレッドミル構造であって、該トレッドミル本体には歩行路面をなすための走行駆動される無端ベルトが設けられ、該トレッドミル本体の側部には支持体が設けられ、該支持体上には筐体が設けられ、該駆動部は該筐体内に収容されており、該筐体には、該トレッドミル本体の駆動を調節するための調節部が設けられており、該調節部により、該無端ベルトの走行速度すなわち無端ベルト速度および傾斜角度をそれぞれ調節可能であり、水槽に該トレッドミル本体を沈めた場合でも、該筐体は水中に没することなく水面上方にあってこれを操作することができるように構成されていることを特徴とする、小動物用水中トレッドミル構造。 
【０００９】
（２）  前記筐体には、前記トレッドミル本体の無端ベルト速度および検知された水温を表示可能な表示部が設けられていることを特徴とする、（１）に記載の小動物用水中トレッドミル構造。 
（３）  前記トレッドミル本体は、該本体の歩行路面の高さを調節可能であることを特徴とする、（１）または（２）に記載の小動物用水中トレッドミル構造。 
（４）  （１）ないし（３）のいずれかに記載の小動物用水中トレッドミル構造と、前記トレッドミル本体の上面に着脱自在に取り付け可能なサイドガードとを備えてなることを特徴とする、小動物用水中トレッドミルセット。 
（５）  （１）ないし（３）のいずれかに記載の小動物用水中トレッドミル構造と、小形の愛玩動物等の小動物を支持するための吊り下げ用具とを備えてなることを特徴とする、小動物用水中トレッドミルセット。 
（６）  （１）ないし（３）のいずれかに記載の小動物用水中トレッドミル構造と、該小動物用水中トレッドミル構造を収容可能な水槽とを備えてなることを特徴とする、小動物用水中トレッドミルセット。 
【考案の効果】
【００１０】
本考案の動物用水中トレッドミル構造等は上述のように構成されるため、これによれば、既存の動物用浴槽や洗い場を利用して、これに収容するだけで、簡易に動物用水中トレッドミルを構成することができる。特に、比較的小サイズの動物、ペット用として大いに便利である。つまり、浴槽等の水槽や洗い場が既に準備されていれば、改めて給排水設備を整える必要がなく、しかも浴槽や洗い場以上の広いスペースを新たに確保する必要もないため、個人経営の動物病院等の中小規模の施設においても、容易に導入することができる。当然ながら低コストを実現できる。また、使用・操作方法や構造も簡単である。
【００１１】
浴槽等への設置は簡単であり、また、言うまでもなく着脱可能な構造とすることができるものであるから、通常は浴槽や洗い場として使用することにも、何ら支障はない。なお本考案の動物用水中トレッドミル構造と水槽をセットにしたものもまた、本考案の範囲内である。
【００１２】
また、本考案は上述のように種々の構成例を可能とするものであるが、たとえば、無端ベルト速度および傾斜角度を調節自在な装置とすることもでき、運動（歩行）メニューを自在に変更できる。また、ボルトを用いる等の適宜の手段によって、歩行路面の高さの調節自在な構成とすることもでき、動物の肩高等に応じて、既に浴槽等に入れられてある温水等を無駄に排水することなく、水深調節が可能である。
なおまた、水温はこれを検知して表示可能とするだけでなく、ヒーターを組み込む等して、水温調節可能な水中トレッドミル構造としてもよい。
【００１３】
本考案の動物用水中トレッドミル構造の駆動部・表示部・操作部は、上述のように支持体上に設けられたボックスに収容・設置する構造とすることができ、浴槽等にトレッドミル本体を沈めた場合も、水中に没することなく水面上方で表示確認や操作をすることができ、便利である。
また、サイドガードや、吊り下げ用具を併せ備えた水中トレッドミルセットとして提供することによって、本装置導入はさらに容易なものとなる。サイドガードは、動物が歩行路面からずり落ちて負傷等することを防止するものであり、吊り下げ用具もまた、運動中の動物の安全確保を可能とするものであるとともに、浴槽等への出入を容易ならしめるものである。
【図面の簡単な説明】
【００１４】
【図１】本考案の動物用水中トレッドミル構造の基本構成を示す説明図である。
【図２】本考案の動物用水中トレッドミル構造の典型的な構成を示す説明図である。
【図３】本考案動物用水中トレッドミル構造実施例の使用状態を示す側断面図である。
【図４】図３の上面図である。
【図５】図３のＡ−Ａ’矢視断面図である。
【図６】図３のＢ−Ｂ’矢視断面図である。
【図７】本実施例の斜視写真図である。
【考案を実施するための形態】
【００１５】
以下、図面により本考案を詳細に説明する。
図１は、本考案の動物用水中トレッドミル構造の基本構成を示す説明図である。図示するように本水中トレッドミル構造１は、動物用に使用可能な水槽９または洗い場に着脱可能なものであって（図では水槽の場合を示す）、トレッドミル本体２と、トレッドミル本体２に取り付けられていてこれを駆動する駆動部５とを備えてなることを、基本的な構成とする。
【００１６】
かかる構成により、本動物用水中トレッドミル構造１を水槽９内に収容、載置すること等によって、容易に水中トレッドミルを構成することができる。洗い場の場合は、洗い場に水や温水を溜めて、その中に設置する。
【００１７】
図２は、本考案の動物用水中トレッドミル構造の典型的な構成を示す説明図である。図示するように本動物用水中トレッドミル構造２１は、トレッドミル本体２２の側部には支持体２３が設けられ、支持体２３上には筐体２４が設けられ、前記駆動部２５は筐体２４内に収容されていることを、主たる構成とする。
【００１８】
かかる構成により本動物用水中トレッドミル構造２１は、よりコンパクトな構成でかつ取扱いやすいものとなり、たとえば水槽に収容、載置して用いる場合、駆動部２５の収容された筐体２４を水面上方に位置させる構成が可能となる。
【００１９】
筐体２４には、トレッドミル本体２２の駆動の開始・停止を操作する入力部の他に、速度や傾斜角度といった駆動状態を調節するための調節部２６を設けることができる。該調節部２６は、トレッドミル本体２２における歩行路面をなすための無端ベルト速度、傾斜角度またはその両者を調節可能な構成とすれば便利である。つまり、歩行路面の速度や傾斜角度を調節することによって、その上を歩行する動物に対する運動負荷を、自在に変更することができる。
【００２０】
また筐体２４には、トレッドミル本体２２の無端ベルト速度、あるいは検知された水温を表示可能な表示部２７を設ければ、さらに便利である。これらの他、たとえば無端ベルトの傾斜角度も表示可能としてもよい。かかる表示部２７を設けることにより、運動条件、運転状況を随時監視し、動物の運動メニュー実施状況を管理することができる。
【００２１】
本考案動物用水中トレッドミル構造２１の使用では、たとえばサーモスタット等の水温調節機能が備えられている水槽を用いてもよいが、かかる機能を備えていない水槽や洗い場に本水中トレッドミル構造２１を用いる場合を考慮して、本水中トレッドミル構造２１自体を、水温調節機能を装備した構成としてもよい。
【００２２】
なおまたトレッドミル本体２２は、その歩行路面の高さを調節可能なものとしてもよいことは、既に述べた通りである。
【実施例】
【００２３】
以下、本考案の実施例を説明するが、本考案はかかる実施例に限定されるものではない。
図３は、本考案動物用水中トレッドミル構造実施例の使用状態を示す側断面図である。また、
図４は、図３の上面図、
図５は、図３のＡ−Ａ’矢視断面図、そして
図６は、図３のＢ−Ｂ’矢視断面図である。図３および４は、本実施例の把握の便宜のために、厳密な側断面図・上面図とはせず、それらの一部を透視図仕様にするなどの処理を施している。
【００２４】
本実施例の動物用水中トレッドミル構造３１を使用する場合は、水槽６９の中に載置する。そして、筐体３４に設けられた駆動スイッチ３Ｓによりトレッドミル本体３２の歩行路面を形成する無端ベルト３２Ｖを走行させ、また、調節部３６により該歩行路面の速度や傾斜角度を調節することが可能である。また、表示部３７には、水温、速度などの所定の表示がなされる。なお本実施例では、水温検知器３Ｔは水槽６９に取り付けられているが、既に述べた通り、本水中トレッドミル構造３１自体に備えたものとしてもよい。
【００２５】
動物は、吊り下げアーム７２を備えた吊り下げ用具７０を用いて、水槽６９中に入れたり、そこから出したり、また水槽６９内における水中運動中に上方から牽引支持することができる。吊り下げアーム７２は、高さおよび水平位置の調節が自在なように構成すれば便利である。
【００２６】
各図に示すように、トレッドミル本体３２の上面に着脱自在に取り付け可能なサイドガード３８２を別途準備しておくと、運動中の動物の脚が歩行路面から滑り落ちて負傷する等の危険を防止することができる。
【００２７】
また、図３および５に示すように、水槽６９の上部に着脱自在な防水カバー３８１を準備してもよい。本考案にかかる動物用水中トレッドミル構造３１に、以上説明した吊り下げ用具７０、サイドガード３８２、防水カバー３８１、さらには水中トレッドミル不使用時には浴槽等として使用可能な水槽６９、の少なくともいずれか一つ、望ましくはそのすべてを併せ備えた、動物用水中トレッドミルセットとして提供すれば、利用者にとってはさらに便利である。
【００２８】
図７は、試作された本実施例の斜視写真図である。これを実際に、中小規模の動物病院にて設備されるような既存の水槽に設置して、小形犬の水中運動に用いたところ、歩行路面速度、傾斜角度の調節を含め、水中トレッドミルとしての機能をまったく問題なく発揮することができた。
【産業上の利用可能性】
【００２９】
本考案の動物用水中トレッドミル構造は上述のように構成されるため、中小規模の動物病院等施設においても導入が容易であり、ペット関連産業のさらなる成長が期待される中、極めて利用価値が高い考案である。
【符号の説明】
【００３０】
１、２１、３１、４１…動物用水中トレッドミル構造
２、２２、３２、４２…トレッドミル本体
２３、３３、４３…支持体
２４、３４、４４…筐体
２６、３６…調節部
２７、３７…表示部
３２Ｖ、４２Ｖ…無端ベルト
３８１…防水カバー
３８２…サイドガード
３Ｓ…駆動スイッチ
３Ｔ…水温検知器
５、２５、３５…駆動部
７０…吊り下げ用具
７２…吊り下げアーム
９、６９…水槽
【図１】
0003153417.tif 000003
【図２】
0003153417.tif 000004
【図３】
0003153417.tif 000005
【図４】
0003153417.tif 000006
【図５】
0003153417.tif 000007
【図６】
0003153417.tif 000008
【図７】
0003153417.tif 000009